(57)【特許請求の範囲】
【請求項１】
撮像装置本体に回転可能に取り付けられており、撮像画像を表示する表示手段を備えた撮像装置において、
前記表示手段に表示する内容を制御する表示制御手段と、
撮像レンズに取り付けられるアクセサリーの装着を検出する検出手段と、
撮像画角内の顔を検出し、前記表示手段における顔の像位置を判定する顔検出手段とを有し、
前記表示制御手段は、前記表示手段が所定角度以上回転されている場合に対面撮影モード表示にし、前記対面撮影モード表示の時に、前記表示手段における顔の像位置が、前記検出手段で検出したアクセサリーの一部に隠されて撮影者から見えない範囲であることを判定した場合には、前記撮像画像の表示領域を縮小して表示するよう制御することを特徴とする撮像装置。
【請求項２】
前記顔検出手段は、顔の特徴を検出して撮影者の特徴として設定し、次回の顔検出時に検出した顔の特徴が撮影者として設定した顔の特徴と一致するか判断し、
前記表示制御手段は、次回の顔検出時に検出した顔の特徴が撮影者として設定した顔の特徴と一致しない場合には、前記表示手段の表示領域を縮小移行しないことを特徴とする請求項１に記載の撮像装置。
【請求項３】
前記表示制御手段は、前記撮像画像の表示領域を縮小するとともに、前記撮影者から見える位置に移行して表示するよう制御することを特徴とする請求項１または２に記載の撮像装置。
【請求項４】
撮像装置本体に回転可能に取り付けられており、撮像画像を表示する表示手段を備えた撮像装置の制御方法であって、
前記表示手段に表示する内容を制御する表示制御ステップと、
撮像レンズに取り付けられるアクセサリーの装着を検出する検出ステップと、撮像画角内の顔を検出し、前記表示手段における顔の像位置を判定する顔検出ステップとを有し、
前記表示制御ステップは、前記表示手段が所定角度以上回転されている場合に対面撮影モード表示にし、前記対面撮影モード表示の時に、前記表示手段における顔の像位置が、前記検出ステップで検出したアクセサリーの一部に隠されて撮影者から見えない範囲であることを判定した場合には、前記撮像画像の表示領域を縮小して表示するよう制御することを特徴とする撮像装置。
【請求項５】
前記顔検出ステップにおいては、顔の特徴を検出して撮影者の特徴として設定し、次回の顔検出時に検出した顔の特徴が撮影者として設定した顔の特徴と一致するか判断し、
前記表示制御ステップにおいては、次回の顔検出時に検出した顔の特徴が撮影者として設定した顔の特徴と一致しない場合には、前記表示手段の表示領域を縮小移行しないことを特徴とする請求項４に記載の撮像装置の制御方法。
【請求項６】
前記表示制御ステップにおいては、前記撮像画像の表示領域を縮小するとともに、前記撮影者から見える位置に移行して表示するよう制御することを特徴とする請求項４または５に記載の撮像装置の制御方法。
【発明の詳細な説明】
【技術分野】
【０００１】
本発明は、開閉自在且つ回転自在な表示手段を備えた撮像装置およびその制御方法に関するものである。
【背景技術】
【０００２】
表示部の開閉状態に応じて、表示部への電源の切換えを制御し、表示部の開閉状態及び表示部の回転角に応じて、ビユーフアインダへの電源及び／又は音声出力部への電源の切換えを制御するビデオカメラ（特許文献１）が提案されている。このビデオカメラでは、前記表示部が開状態でかつ所定角度回転されたとき、表示部の表示領域に表示される映像が上下逆となるように表示する表示モードの切換えを制御する制御手段を具えている。
【先行技術文献】
【特許文献】
【０００３】
【特許文献１】特許第３５８５０５７号公報
【発明の概要】
【発明が解決しようとする課題】
【０００４】
しかしながら、特許文献１では撮影者自身を撮影するいわゆる対面撮影時に、撮影レンズの先端にワイドコンバータ、フード等の光学アクセサリーを装着した場合、光学アクセサリーの外形が表示部の表示領域の一部を隠してしまい、撮影者が表示領域全部を確認することができず、撮影内容を把握することができないという問題があった。
【０００５】
（発明の目的）
本発明の目的は、対面撮影モードでフード等の光学アクセサリー外形により表示手段の表示領域の一部が隠れる場合でも、撮影者が撮影内容を把握させることができる撮像装置およびその制御方法を提供することである。
【課題を解決するための手段】
【０００６】
上記目的を達成するために、本発明の撮像装置は、撮像装置本体に回転可能に取り付けられており、撮像画像を表示する表示手段を備えた撮像装置において、前記表示手段に表示する内容を制御する表示制御手段と、撮像レンズに取り付けられるアクセサリーの装着を検出する検出手段と、撮像画角内の顔を検出し、前記表示手段における顔の像位置を判定する顔検出手段とを有し、前記表示制御手段は、前記表示手段が所定角度以上回転されている場合に対面撮影モード表示にし、前記対面撮影モード表示の時に、前記表示手段における顔の像位置が、前記検出手段で検出したアクセサリーの一部に隠されて撮影者から見えない範囲であることを判定した場合には、前記撮像画像の表示領域を縮小して表示するよう制御することを特徴とするものである。
【発明の効果】
【０００７】
本発明によれば、対面撮影モードでフード等の光学アクセサリー外形により表示手段の表示領域の一部が隠れる場合でも、撮影者が撮影内容を把握させることができる撮像装置およびその制御方法を提供することができる。
【図面の簡単な説明】
【０００８】
【図１】本発明の実施例である撮像装置の概略構成を示す斜視図である。
【図２】実施例の概略構成を示すブロック図である。
【図３】表示部開閉検出スイッチと回転検出スイッチの状態組合わせでの表示状態を示した図である。
【図４】実施例の制御動作を示すフローチャートである。
【図５】実施例と撮影者の位置の一例を示す上面図である。
【図６】図５の状態の実施例の自分撮り表示状態を示す正面図である。
【図７】撮像装置と左に位置した撮影者の位置を示す図である。
【図８】図７の状態の実施例の表示状態を示す斜視図である。
【図９】図７の状態で、実施例における顔が縮小表示移行設定範囲内にある表示状態を示す図である。
【図１０】顔が縮小表示移行設定範囲内にあり、表示領域を縮小移行して表示している図である。
【図１１】表示領域を縮小移行して表示している時に顔が縮小表示移行設定判断範囲外に移動したことを表示している図である。
【図１２】顔が縮小表示移行判断範囲外にあり、表示領域を通常サイズに戻して表示している図である。
【発明を実施するための形態】
【０００９】
本発明を実施するための形態は、以下の実施例に記載される通りである。
【実施例】
【００１０】
図１に本発明の実施例である撮像装置の一例としてのカメラ一体型ビデオの外観図を示す。撮像装置本体であるカメラ一体型ビデオには表示手段である表示部２８が開閉自在かつ回転自在に取り付けられている。表示部２８は画像や各種情報を表示する。操作部７０はユーザーからの各種操作を受け付ける各種スイッチ、ボタン、タッチパネル等の操作部材より成る。電源スイッチ７２は電源オン、電源オフを切り替える。記録媒体２００はメモリカードやハードディスク等である。記録媒体スロット２０１は記録媒体２００を格納するためのスロットである。記録媒体スロット２０１に格納された記録媒体２００は、カメラ一体型ビデオ１００との通信が可能となる。フード１０１は、撮影レンズの先端に着脱自在に取り付けられて、画角外からの光がレンズ前面にあたり、レンズ内部で乱反射をして、ゴースト、フレアなどが起きるのを防ぐ。
【００１１】
図２は、本実施例によるカメラ一体型ビデオ１００の構成例を示すブロック図である。
【００１２】
図２において、撮像レンズ１０３はズームレンズ、フォーカスレンズを含むレンズ群である。撮像部２２は光学像を電気信号に変換するＣＣＤやＣＭＯＳ素子等で構成される撮像素子を含むものである。Ａ／Ｄ変換器２３は、撮像部２２から出力されるアナログ信号をデジタル信号に変換するために用いられる。
【００１３】
画像処理部２４は、Ａ／Ｄ変換器２３からのデータ、又は、メモリ制御部２５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が所定の処理を行う。
【００１４】
Ａ／Ｄ変換器２３からの出力データは、画像処理部２４及びメモリ制御部２５を介して、或いは、画像制御部２４を介してメモリ３２に直接書き込まれる。メモリ３２は、撮像部２２によって得られ、Ａ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１５】
また、メモリ３２は画像表示用のメモリ（ビデオメモリ）を兼ねている。Ｄ／Ａ変換器２６は、メモリ３２に格納されている画像表示用のデータをアナログ信号に変換して表示部２８に供給する。こうして、メモリ３２に書き込まれた表示用の画像データはＤ／Ａ変換器２６を介して表示部２８により表示される。表示部２８は、ＬＣＤ等の表示領域２８ａ上に、Ｄ／Ａ変換器２６からのアナログ信号に応じた表示を行う。
【００１６】
表示部開閉検出スイッチ２９は、表示部２８のカメラ一体型ビデオ１００に対する位置を検出し、表示部２８がカメラ一体型ビデオ１００に対して閉じられた位置（収納状態）にあるときは、システム制御部５０が＜ＯＦＦ＞の判断を行う。また、表示部２８がカメラ一体型ビデオ１００に対して開かれた位置にあるときは、システム制御部５０が＜ＯＮ＞の判断を行う。表示部回転検出スイッチ３０は、表示部２８のカメラ一体型ビデオ１００に対する位置を検出し、表示部２８がカメラ一体型ビデオ１００に対して閉じられた位置（収納状態）から開いただけで回転していない位置（開状態）にあるときは、システム制御部５０が＜ＯＦＦ＞の判断を行う。また、表示部２８がカメラ一体型ビデオ１００に対して開状態から所定角度以上回転した位置にあるときは、システム制御部５０が＜ＯＮ＞の判断を行う。
【００１７】
図３は表示部開閉検出スイッチ２９、表示部回転検出スイッチ３０の状態をシステム制御部５０が判断し、表示領域２８ａへの表示方法を制御した状態を示す。このように、開閉部２８の開閉状態と回転状態に応じて表示部２８への表示の内容を変更する。
【００１８】
図２の説明に戻る。システム制御部５０は、カメラ一体型ビデオ１００全体を制御する。前述した不揮発性メモリ５６に記録されたプログラムを実行することで、後述する本実施例各処理を実現する。また、システム制御部５０は表示部開閉検出スイッチ２９、表示部回転検出スイッチ３０からの信号を受け、メモリ３２、Ｄ／Ａ変換器２６、表示部２８等を制御することにより表示制御も行う。操作部７０はシステム制御部５０に各種の動作指示を入力するための操作部材を有する。
【００１９】
光学アクセサリー装着検出スイッチ３１はフード（光学アクセサリー）１０１がカメラ一体型ビデオ１００の撮像レンズ１０３の前方に装着されたか未装着かを検出する。光学アクセサリーがカメラ一体型ビデオ１００に装着された場合はシステム制御部５０が＜ＯＮ＞の判断を行い、光学アクセサリーがカメラ一体型ビデオ１００に未装着の場合はシステム制御部５０が＜ＯＦＦ＞の判断を行う。
【００２０】
上述したシステム制御部５０は顔検出部５０ａを有している。
【００２１】
顔検出部５０ａの顔検出機能について説明する。顔検出部５０ａは顔検出対象の画像データを画像処理部２４に送る。顔検出部５０ａの制御下で画像処理部２４は、当該画像データに水平方向バンドパスフィルタを作用させる。また、顔検出部５０ａの制御下で画像処理部２４は処理された画像データに垂直方向バンドパスフィルタを作用させる。これら水平及び垂直方向のバンドパスフィルタにより、画像データよりエッジ成分が検出される。
【００２２】
その後、顔検出部５０ａは、検出されたエッジ成分に関してパターンマッチングを行い、目及び鼻、口、耳の候補群を抽出する。そして、顔検出部５０ａは、抽出された目の候補群の中から、予め設定された条件（例えば２つの目の距離、傾き等）を満たすものを、目の対と判断し、目の対があるもののみ目の候補群として絞り込む。そして、顔検出部５０ａは、絞り込まれた目の候補群とそれに対応する顔を形成する他のパーツ（鼻、口、耳）を対応付け、また、予め設定した非顔条件フィルタを通すことで、顔を検出する。顔検出部５０ａは、顔の検出結果に応じて前記顔情報を出力し、処理を終了する。このとき、顔の数などの特徴量をメモリ３２に記憶する。以上のように撮影画像データを画像解析して、画像データの特徴量を抽出して被写体情報を検出することが可能である。
【００２３】
前記被写体情報を記憶し、記憶した顔の特徴を撮影者の顔と設定することで、次回顔検出時に記憶した撮影者の顔と一致するか判断することが可能である。
【００２４】
システム制御部５０は前記表示部開閉検出スイッチ２９、前記表示部回転検出スイッチ３０、前記光学アクセサリー装着検出スイッチ３１の検出情報、および前記顔検出部５０ａの検出情報、記憶された顔情報により判断し、表示領域２８ａへの表示を制御する。
【００２５】
図４は実施例におけるシステム制御部５０の動作の説明に供するフローチャートである。システム制御部５０は表示制御部を兼ね、顔顕出部５０ａも含む
まず図４において、ステップＳＰ１より開始して、ステップＳＰ２において、システム制御部５０は電源モードが電源ＯＮか電源ＯＦＦかを判定する。電源ＯＮと判定した場合ステップＳＰ３へ進み、表示部２８が開いた状態（開状態）か閉じた状態（閉状態）かを判定する。表示部２８が開いている（開状態）と判定した場合、システム制御部５０はステップＳＰ４へ進み、表示部２８の電源をＯＮし、通常表示を行う。
【００２６】
システム制御部５０はステップＳＰ３で表示部２８が閉じている（閉状態）と判定した場合、システム制御部５０はステップＳＰ５へ進み、表示部２８が前記閉状態から所定角度回転していない状態か回転した状態かを判定する。表示部２８が前記閉状態から所定角度回転していない状態と判定した場合はステップＳＰ２へ戻る。表示部２８が前記閉状態から所定角度以上回転している状態と判定した場合はステップＳＰ６へ進み、表示部２８の電源をＯＮし、再生モード表示を行う。
【００２７】
システム制御部５０はステップＳＰ７へ進み、表示部２８が前記開状態から所定角度以上回転していない状態か回転した状態かを判定する。表示部２８が前記開状態から所定角度以上回転していない状態と判定した場合はステップＳＰ２へ戻る。表示部２８が前記開状態から所定角度以上回転している状態と判定した場合はステップＳＰ８へ進み、対面撮影モード表示を行う。
【００２８】
システム制御部５０はステップＳＰ９へ進み、光学アクセサリーが装着されたか未装着かを検出する。光学アクセサリーが未装着と判定した場合、ステップＳＰ１３へ進み、表示領域２８ａへ通常表示行う。ステップＳＰ９で光学アクセサリーが装着されたと判定された場合、システム制御部５０はステップＳＰ１０へ進む。
【００２９】
システム制御部５０の顔検出部５０ａはステップＳＰ１０で、撮像領域内に顔があるかないか判定する。顔がないと判定した場合、ステップＳＰ１３へ進み、表示領域２８ａへ通常表示を行う。ステップＳＰ１０で撮像領域内に顔があると判定した場合、システム制御部５０はステップＳＰ１１へ進み、撮像画角内の顔の像位置が縮小表示移行設定範囲外か縮小表示移行設定範囲内かの判定を行う。撮像画角内の顔の像位置が縮小表示移行設定範囲外と判定した場合、ステップＳＰ１３へ進み、表示領域２８ａへ撮像画像を通常のサイズで表示する。ステップＳＰ１１で撮像領画角内の顔の像位置が縮小表示移行設定範囲内と判定した場合、ステップＳＰ１２へ進み、表示領域２８ａへ撮像画像を縮小して表示する。
【００３０】
図５は図４のフローチャートでステップＳＰ８の状態時のカメラ一体型ビデオ１００の上方より見たところを示し、図６は撮影者の位置より見たところを示している。撮影者の顔３０１がカメラ一体型ビデオ１００の前方に位置し、自分撮りを行っており、表示部２８へ撮影者の顔３０１の像３０２が表示されている。
【００３１】
図７は図５の状態より撮影者が撮影方向を右へ変更したカメラ一体型ビデオ１００の上方より見たところを示し、図８は撮影者の位置よりカメラ一体型ビデオ１００の前方左側から見たところで、表示部２８へ表示された撮影者の顔３０１の像３０２がフード１０１に隠れていることを示している。
【００３２】
図９は図８の状態の時の表示部２８の表示領域２８ａの表示状態である。表示部開閉検出スイッチ２９、表示部回転検出スイッチ３０の出力より、システム制御部５０が対面撮影モードを表示し、光学アクセサリー装着検出スイッチ３１の出力により光学アクセサリー装着検出と判断したところである。ここで図４のフローチャートのステップＳＰ１１で撮像画角内の顔位置が縮小表示移行設定範囲４００の外側か内側かの判定を行っており、システム制御部５０が顔像位置がフード１０１の一部に隠されて撮影者から見えない縮小表示移行設定範囲４００の内側であることを判定したところである。
【００３３】
図１０はステップＳＰ１１で撮像画角内の顔位置が縮小表示移行設定範囲４００の内側であったのでステップＳＰ１２でシステム制御部５０が画像処理部２４へ画像の縮小指示を送り、表示部２８の縮小表示した表示領域２８ｂへ撮影者の顔の像３０３を縮小して撮影者から見えるような位置に移行して表示したところである。
【００３４】
図１１はステップＳＰ１２の表示領域２８ａへ顔の像３０３を縮小移行して表示していた状態時に、ステップＳＰ１１で顔の位置が縮小表示移行設定範囲４００の外側に移動したことをシステム制御部５０が判定したところである。
【００３５】
図１２はシステム制御部５０が顔の位置の縮小表示移行設定範囲４００の外側への移行を判定し、ステップＳＰ１３へ進み、システム制御部５０が画像処理部２４へ画像を通常のサイズに戻す指示を送り、表示領域２８ａへ顔の像３０３のサイズを通常のサイズ（３０２）に戻して表示したところである。
【００３６】
以上のように、自分撮り時、撮影方向によっては自分が撮影領域に入っており、表示部２８に表示されているにもかかわらず、光学アクセサリーを装着することにより撮影方向によっては表示部２８の一部が光学アクセサリーに隠れてしまうことがある。実施例によれば、上述のように、撮像画像のすべてを確認することが不可能となるところ、表示領域２８ａを縮小して撮像画像をすべて光学アクセサリーに隠れないところに移行表示することができるため、撮像画像をすべて把握することができる。
【００３７】
なお図１、図５〜図８では光学アクセサリーとしてフードを装着しているが、自分撮り時背景も広く撮影するためにワイドコンバータを装着して撮影する場合があり、ワイドコンバータの外形により表示領域２８ａが隠れてしまうことが多く、本実施例を同様に適用することができる。
【００３８】
また本実施例では、縮小表示移行設定範囲４００の内側で顔を検出した場合について説明しているが、前記顔検出部により顔検出時の顔の特徴を記憶し、記憶した顔の特徴を撮影者の顔と設定することで、次回顔検出時に記憶した撮影者の顔と一致するか判断する。撮影者の顔と一致したと判断した場合のみ、撮像画角内の顔の位置が縮小表示移行設定範囲４００の内側であることを判定した場合には表示部の表示領域を縮小して移行表示するよう制御するすることも可能である。縮小表示移行設定範囲４００の内側の顔が非撮影者の顔で、撮影者の顔は縮小表示移行設定範囲４００の外側にあり、撮影画像がすべて把握できている場合には縮小移行しない構成とすることができる。
【符号の説明】
【００３９】
２８  表示部
２８ａ  表示領域
２９  表示部開閉検出スイッチ
３０  表示部回転検出スイッチ
３１  光学アクセサリー  装着検出スイッチ
５０  システム制御部
５０ａ  顔顕出部
１０１  フード
３０２  顔の像
４００  縮小表示移行設定範囲
【図１】
0006045193.tif 000002
【図２】
0006045193.tif 000003
【図３】
0006045193.tif 000004
【図４】
0006045193.tif 000005
【図５】
0006045193.tif 000006
【図６】
0006045193.tif 000007
【図７】
0006045193.tif 000008
【図８】
0006045193.tif 000009
【図９】
0006045193.tif 000010
【図１０】
0006045193.tif 000011
【図１１】
0006045193.tif 000012
【図１２】
0006045193.tif 000013